(57)【要約】【課題】光量調節装置において、良好な絞り開口形状を得つつ、装置の小型化を図る。【解決手段】光量調節装置は、光を通過させる開口２ｂを有するベース部材２と、ベース部材に対して、光通過方向に直交する方向に移動して開口に対して進退する第１の絞り羽根４，７と、ベース部材に対して、光通過方向に直交する面内で回転して開口に対して進退する第２の絞り羽根５，６，８，９と、ベース部材に取り付けられ、第１および第２の絞り羽根を駆動する駆動部１とを有する。ベース部材は、第１の絞り羽根に形成された溝部に係合して該第１の絞り羽根をその移動方向にガイドする突起部２ｄ，２ｅを有する。第２の絞り羽根は、該突起部を中心として上記面内で回転する。【選択図】図１
2020057023.tif 000002
【特許請求の範囲】
【請求項１】
光が通過する開口部を形成するベース部材と、
前記ベース部材上を光通過方向に直交する光軸直交方向に移動して前記開口部に対して進退する一対の第１の絞り羽根、及び、前記ベース部材に対して、前記光軸直交方向を含む面内で前記光軸直交方向とは異なる方向に移動して前記開口部の中心に対して進退する一対の第２の絞り羽根を少なくとも有する羽根群と、
前記開口部の外側に配置され、前記羽根群に係合して回動し、前記羽根群に動力を伝達する動力伝達部材と、を備え、
前記一対の第１の絞り羽根における一方の第１の絞り羽根、及び、前記一対の第２の絞り羽根は、前記動力伝達部材の一方側に設けられた第１の伝達部に係合され、
前記一対の第１の絞り羽根における他方の第１の絞り羽根は、前記動力伝達部材の回動中心に対し前記一方側とは反対側の他方側に設けられた第２の伝達部に係合され、
前記開口部内に前記羽根群によって形成される絞り開口を小さく絞る際には、前記一対の第２の絞り羽根は、互いに対向する位置から近づくように移動し、
前記一方の第１の絞り羽根は、前記絞り開口のうち前記一対の第２の絞り羽根の間の部分を形成することを特徴とする光量調節装置。
【請求項２】
前記動力伝達部材は、
前記開口部から前記光軸直交方向に離れた位置に設けられた回動中心と、
前記光通過方向および前記光軸直交方向の両方に直交する方向において、前記回動中心を挟んで両側に設けられた一対の腕部と、を備え、
前記第１の伝達部は前記一対の腕部における一方の腕部の先端に設けられ、前記第２の伝達部は前記一対の腕部における他方の腕部の先端に設けられていることを特徴とする請求項１に記載の光量調節装置。
【請求項３】
前記羽根群は更に、前記ベース部材に対して、前記光軸直交方向を含む面内で前記光軸直交方向とは異なる方向に移動して前記開口部の中心に対して進退する一対の第３の絞り羽根を有し、
前記一対の第３の絞り羽根は、前記動力伝達部材の他方側に設けられた前記第２の伝達部に係合されていることを特徴とする請求項１又は２に記載の光量調節装置。
【請求項４】
請求項１から３のいずれか一項に記載の光量調節装置と、撮像素子と、を備えることを特徴とする撮像装置。
【発明の詳細な説明】
【技術分野】
【０００１】
本発明は、カメラや交換レンズ等の光学機器に搭載され、絞り装置等とも称される光量調節装置に関する。
【背景技術】
【０００２】
上記のような光量調節装置（絞り装置）の性能は、光学機器を用いて撮影される画像の画質に影響を与え、特に絞り羽根によって形成される実際に光が通過する絞り開口の形状（絞り開口形状）は、いわゆるボケやゴーストの形状を変化させる。すなわち、絞り開口形状が円形に近ければ、ボケやゴーストの形状も円形となるため、自然な画質が得られるが、絞り開口形状が円形とは大きく異なる四角形や扁平な形状であると、ボケやゴーストもそれと同様の形状を持って現れ、不自然な画質となる。
【０００３】
このように円形とは大きく異なる絞り開口形状は、２枚の絞り羽根によって絞り開口を形成する場合に生じ易い。このため、特許文献１には、円環状の駆動リングを絞り開口の周囲で回転させて多数枚の絞り羽根を回転させ、四角形よりも円形に近い多角形の絞り開口形状を形成する虹彩絞り装置が開示されている。また、特許文献２には、直進スライドする一対の直進絞り羽根と揺動（回転）する一対の揺動絞り羽根とを組み合わせて、四角形よりも円形に近い多角形の絞り開口形状を形成する絞り装置が開示されている。
【先行技術文献】
【特許文献】
【０００４】
【特許文献１】実開平２−４８９２８号公報
【特許文献２】特開２００９−１１５８３１号公報
【発明の概要】
【発明が解決しようとする課題】
【０００５】
しかしながら、特許文献１にて開示された虹彩絞り装置のような構成では、駆動リングを絞り開口の周囲に配置するとともに、周方向全体において多数枚の絞り羽根の退避スペースを必要とするため、装置が周方向全体にわたって大型化し易い。
【０００６】
また、特許文献２にて開示された絞り装置では、虹彩絞り装置に比べれば、直進絞り羽根の直進方向に直交する幅方向のサイズを抑えることはできる。しかし、虹彩絞りと同様に、絞り開口の周囲に配置された駆動リングに相当する環板を回転させて一対の直進絞り羽根と一対の揺動絞り羽根とを駆動する構成を有するため、装置の小型化に限界がある。
【０００７】
本発明は、良好な絞り開口形状を得つつ、装置の小型化を図ることができるようにした光量調節装置を提供する。
【課題を解決するための手段】
【０００８】
本発明の一側面としての光量調節装置は、光が通過する開口部を形成するベース部材と、前記ベース部材上を光通過方向に直交する光軸直交方向に移動して前記開口部に対して進退する一対の第１の絞り羽根、及び、前記ベース部材に対して、前記光軸直交方向を含む面内で前記光軸直交方向とは異なる方向に移動して前記開口部の中心に対して進退する一対の第２の絞り羽根を少なくとも有する羽根群と、前記開口部の外側に配置され、前記羽根群に係合して回動し、前記羽根群に動力を伝達する動力伝達部材と、を備え、前記一対の第１の絞り羽根における一方の第１の絞り羽根、及び、前記一対の第２の絞り羽根は、前記動力伝達部材の一方側に設けられた第１の伝達部に係合され、前記一対の第１の絞り羽根における他方の第１の絞り羽根は、前記動力伝達部材の回動中心に対し前記一方側とは反対側の他方側に設けられた第２の伝達部に係合され、前記開口部内に前記羽根群によって形成される絞り開口を小さく絞る際には、前記一対の第２の絞り羽根は、互いに対向する位置から近づくように移動し、前記一方の第１の絞り羽根は、前記絞り開口のうち前記一対の第２の絞り羽根の間の部分を形成することを特徴とする。
【発明の効果】
【０００９】
本発明によれば、光通過方向に直交する方向に移動する第１の絞り羽根と光通過方向に直交する面内で移動する第２の絞り羽根との組み合わせによって良好な形状の絞り開口を形成することができ、かつ小型の光量調節装置を実現することができる。
【図面の簡単な説明】
【００１０】
【図１】本発明の実施例１である絞り装置の分解斜視図。
【図２】実施例１の絞り装置の正面図。
【図３】実施例１の絞り装置の斜視図。
【図４】実施例１の絞り装置に用いられるリニア絞り羽根の正面図。
【図５】実施例１の絞り装置に用いられる回転絞り羽根の正面図。
【図６】実施例１の絞り装置にて形成される絞り開口形状を示す正面図。
【図７】本発明の実施例２である絞り装置の分解斜視図。
【図８】本発明の実施例３である絞り装置の分解斜視図。
【図９】本発明の実施例４である絞り装置の分解斜視図。
【図１０】実施例４の絞り装置の正面図。
【図１１】実施例４の絞り装置の斜視図。
【図１２】実施例４の絞り装置に用いられるリニア絞り羽根の正面図。
【図１３】実施例４の絞り装置に用いられる回転絞り羽根の正面図。
【図１４】実施例４の絞り装置にて形成される絞り開口形状を示す正面図。
【図１５】本発明の実施例５である絞り装置の分解斜視図。
【図１６】本発明の実施例６である絞り装置の分解斜視図。
【図１７】実施例６の絞り装置の正面図。
【図１８】実施例６の絞り装置の斜視図。
【図１９】実施例６の絞り装置に用いられるリニア絞り羽根の正面図。
【図２０】実施例６の絞り装置に用いられる回転絞り羽根の正面図。
【図２１】実施例６の絞り装置にて形成される絞り開口形状を示す正面図。
【図２２】本発明の実施例７である絞り装置の分解斜視図。
【図２３】実施例１〜７の絞り装置を搭載した本発明の実施例８である光学機器の概略図。
【発明を実施するための形態】
【００１１】
以下、本発明の実施例について図面を参照しながら説明する。
【実施例１】
【００１２】
図１には、本発明の実施例１である光量調節装置（第１の光量調節装置および第２の光量調節装置）としての絞り装置を分解して示している。また、図２は該絞り装置を、絞り羽根４〜９により形成される絞り開口を光が通過する方向（光軸方向）から見て示している。なお、図２では、図１中に示すカバー板１０を取り除いた状態を示している。さらに、図３には、図２に示した絞り装置を斜めから見て示している。また、これらの図において絞り装置の上下方向であって長手方向が、「光通過方向に直交する方向」に相当し、以下の説明では光軸直交方向という。また、これらの図における絞り装置の左右方向を幅方向という。
【００１３】
これらの図において、ベース部材としての地板２には、光を通過させる固定開口２ｂが形成されている。地板２は、プレス加工や樹脂成形等によって製作されている。
【００１４】
該地板２の外面（光軸方向一方の面）のうち、固定開口２ｂから下方向に離れた位置には、絞り駆動部１が取り付けられている。絞り駆動部１は、例えば、不図示のロータマグネットと、該ロータマグネットと一体で回転する出力軸１ａと、通電されてロータマグネットを回転させる磁力を発生する不図示のコイルにより構成される電磁駆動モータである。また、ステッピングモータであってもよい。
【００１５】
絞り駆動部１の出力軸１ａは、地板２を貫通して地板２の内面側に突出している。そして、該出力軸１ａには、駆動レバーとしての駆動アーム３が圧入によって取り付けられている。駆動アーム３は、固定開口２ｂから下方向に離れて位置する軸回りにおいて、出力軸１ａとともに所定の角度範囲で回動する。駆動アーム３は、樹脂成形等によって製作されている。なお、出力軸１ａと駆動アーム３とを一体形成することも可能である。
【００１６】
駆動アーム３は、出力軸１ａの位置を挟んだ両側の先端に、絞り羽根４〜９を駆動するための伝達部としての羽根駆動ピン３ｉ，３ｊを有する。羽根駆動ピン３ｉは、回転絞り羽根６、リニア絞り羽根７および回転絞り羽根８の３枚の絞り羽根に係合している。また、羽根駆動ピン３ｊは、リニア絞り羽根４、回転絞り羽根５および回転絞り羽根９の３枚の絞り羽根に係合している。
【００１７】
なお、絞り駆動部１と駆動アーム３を地板２の外面側に配置し、駆動アーム３に形成された羽根駆動ピン３ｉ，３ｊを、地板２を貫通させて該地板２の内面側に突出させるようにしてもよい。
【００１８】
このように、本実施例では、絞り駆動部１の出力軸１ａに直接取り付けられた（または一体形成された）１つの駆動アーム３に２つの羽根駆動ピン３ｉ，３ｊを設け、同一（共通）の羽根駆動ピン３ｉに、１枚のリニア絞り羽根（第１の絞り羽根）７と２枚の回転絞り羽根（第２の絞り羽根）６，８を係合させている。また、他の同一（共通）の羽根駆動ピン３ｊに、１枚のリニア絞り羽根（第１の絞り羽根）４と２枚の回転絞り羽根（第２の絞り羽根）５，９を係合させている。そして、このように複数（２つ）の羽根駆動ピン３ｉ，３ｊのそれぞれに３枚ずつの絞り羽根が係合した駆動アーム３を回動させることで、２枚のリニア絞り羽根４，７を光軸直交方向に移動させ、かつ４枚の回転絞り羽根５，６，８，９を光軸に直交する面（以下、光軸直交面という）内で回転させる。これにより、これら６枚の絞り羽根４〜９によって、円形に近い多角形状の絞り開口を形成するとともにそのサイズ（径）を変化させる。
【００１９】
以上の構成を採用することで、特許文献２のように、絞り開口の周囲に配置された駆動リング（環板）を回転させ、該駆動リングにおける互いに異なる駆動軸部によって直進絞り羽根や回転絞り羽根を駆動する場合に比べて、絞り装置の小型化に有利でありながらも、良好な形状の絞り開口を形成することができる。
【００２０】
なお、リニア絞り羽根４，７が光軸直交方向に移動するとは、リニア絞り羽根４，７が光軸直交方向に直進（平行移動）する場合だけでなく、幅方向に揺動したりシフトしたりしながら光軸直交方向に移動する場合も含む意味である。
【００２１】
１１はアームカバーであり、駆動アーム３と絞り羽根４（〜９）との間に配置されて、駆動アーム３と絞り羽根４（〜９）との不必要な接触を防止する。アームカバー１１は、プレス加工や樹脂成形等により製作されている。駆動アーム３と絞り羽根４との間に十分なクリアランスがあるときには、アームカバー１１はなくてもよい。
【００２２】
カバー板１０は、地板２との間に絞り羽根４〜９が移動する空間を形成するように地板２に取り付けられる。カバー板１０は、地板２に形成された固定開口２ｂに対応する開口１０ｂを有する。カバー板１０は、プレス加工や樹脂成形等により製作されている。カバー板１０の内面（地板側の面）には、絞り羽根４〜９との摺動抵抗を低減するための不図示のレールが形成されている。
【００２３】
本実施例の絞り装置は、前述したように駆動アーム３を回動させることで絞り開口径を変化させることができ、さらに絞り開口を完全に閉じる（閉じきる）ことができる。このため、本実施例の絞り装置は、シャッタ動作を行うことも可能である。つまり、本実施例の絞り装置は、絞りシャッタ装置として使用することもできる。
【００２４】
リニア絞り羽根４は、その下端に形成された駆動長孔部４ｊにて、駆動アーム３の羽根駆動ピン３ｊと摺動可能に係合している。また、リニア絞り羽根４に光軸直交方向に延びるように形成されたガイド長孔部（ガイド溝部ともいう）４ｃ，４ｄにはそれぞれ、地板２に形成された突起部としての軸部（ピン部又はボス部ともいう）２ｃ，２ｄが摺動可能に係合している。長孔部４ｆは、地板２に形成された軸部２ｆを回避した逃げ形状である。
【００２５】
駆動アーム３が上述した所定の角度範囲で回動すると、リニア絞り羽根４は、図４に示すように、駆動長孔部４ｊにて羽根駆動ピン３ｊから駆動力を受け、ガイド長孔部４ｃ，４ｄがそれぞれ、軸部２ｃ，２ｄによってガイドされながら光軸直交方向に移動する。
【００２６】
リニア絞り羽根７は、その下端に形成された駆動長孔部７ｉにて、駆動アーム３の羽根駆動ピン３ｉと摺動可能に係合している。また、リニア絞り羽根７に光軸直交方向に延びるように形成されたガイド長孔部（ガイド溝部ともいう）７ｆ，７ｅにはそれぞれ、前述した地板２の軸部２ｆおよび同様に地板２に形成された突起部としての軸部（ピン部又はボス部ともいう）２ｅが摺動可能に係合している。長孔部７ｃは、地板２の軸部２ｃを回避した逃げ形状である。
【００２７】
駆動アーム３が上述した所定の角度範囲で回動すると、リニア絞り羽根７は、図４に示すように、駆動長孔部７ｉにて羽根駆動ピン３ｉから駆動力を受け、ガイド長孔部７ｅ，７ｆがそれぞれ、軸部２ｅ，２ｆによってガイドされながら光軸直交方向に移動する。
【００２８】
一方、回転絞り羽根５は、その下部に形成された駆動カム溝部５ｊにて、駆動アーム３の羽根駆動ピン３ｊと摺動可能に係合している。また、回転絞り羽根５に形成された回転中心孔部５ｄには、地板２に形成された回転中心部（回転中心軸部）としての軸部２ｄが回転可能に係合している。すなわち、軸部２ｄは、前述したようにリニア絞り羽根４のガイド長孔部４ｄと摺動可能に係合して該リニア絞り羽根４をその移動方向にガイドする機能だけでなく、回転絞り羽根５の回転中心孔部５ｄに係合して該回転絞り羽根５の回転中心を形成する機能をも有する。
【００２９】
さらに、回転絞り羽根６は、その下部に形成された駆動カム溝部６ｉにて、駆動アーム３の羽根駆動ピン３ｉと摺動可能に係合している。また、回転絞り羽根６に形成された回転中心孔部６ｅには、地板２に形成された回転中心部（回転中心軸部）としての軸部２ｅが回転可能に係合している。すなわち、軸部２ｅは、前述したようにリニア絞り羽根７のガイド長孔部７ｅと摺動可能に係合して該リニア絞り羽根７をその移動方向にガイドする機能だけでなく、回転絞り羽根６の回転中心孔部６ｅに係合して該回転絞り羽根６の回転中心を形成する機能をも有する。
【００３０】
駆動アーム３が上記所定の角度範囲で回動すると、回転絞り羽根５，６は、図５に示すように、駆動カム溝部５ｊ，６ｉが羽根駆動ピン３ｊ，３ｉから駆動力を受け、回転中心孔部５ｄ，６ｅに係合した軸部２ｄ，２ｅを中心として光軸直交面内で回転（旋回）する。この回転の速さは、駆動カム溝部５ｊ，６ｉの形状によって調整可能である。
【００３１】
また、回転絞り羽根８および回転絞り羽根９はそれぞれ、その下端部に形成された駆動カム溝部８ｉ，９ｊにて、駆動アーム３の羽根駆動ピン３ｉ，３ｊと摺動可能に係合している。回転絞り羽根８，９に形成された回転中心孔部８ｄ，９ｅにはそれぞれ、地板２に形成された回転中心部（回転中心軸部）としての軸２ｄ，２ｅが回転可能に係合している。すなわち、軸部２ｄ，２ｅは、前述したようにリニア絞り羽根４，７のガイド長孔部４ｄ，７ｅと摺動可能に係合して該リニア絞り羽根４，７をその移動方向にガイドする機能だけでなく、回転絞り羽根８，９の回転中心孔部８ｄ，９ｅに係合して該回転絞り羽根８，９の回転中心を形成する機能をも有する。
【００３２】
駆動アーム３が上記所定の角度範囲で回動すると、回転絞り羽根８，９はそれぞれ、図５に示すように、駆動カム溝部８ｉ，９ｊが羽根駆動ピン３ｉ，３ｊから駆動力を受け、回転中心孔部８ｄ，９ｅに係合した軸部２ｄ，２ｅを中心として光軸直交面内で回転（旋回）する。この回転の速さは、駆動カム溝部８ｉ，９ｊの形状によって調整可能である。
【００３３】
そして、駆動アーム３の回動位置に対する回転絞り羽根５，６，８，９の回転位置、つまりは絞り開口の形状を、それぞれの回転絞り羽根５，６，８，９に形成された駆動カム溝部５ｊ，６ｉ，８ｉ，９ｊの形状を調整することで適宜設定することができる。これにより、図６の下段右側に示す開放絞りから同上段中央に示す小絞りまでの各絞り状態において、絞り羽根４〜９の開口形成用縁部４ｂ，５ｂ，６ｂ，７ｂ，８ｂ，９ｂによって絞り開口を形成することができる。絞り開口は、円形である開放開口を除き、円形に近いほぼ正六角形の形状を有する。さらに、前述したように、本実施例の絞り装置は、図６の上段左側に示すような閉じきりも可能である。
【００３４】
以上説明したように、本実施例の絞り装置では、リニア絞り羽根４，７および回転絞り羽根５，６，８，９を、駆動リング等の絞り開口の周囲で回転する部品を用いることなく１つの駆動アーム３を回動させることで移動又は回転させる。このため、絞り装置を長手方向（光軸直交方向）と幅方向とにおいて小型化することができ、さらに光軸方向での厚みを薄くすることができる。
【００３５】
また、リニア絞り羽根４，７をガイドする軸部２ｄ，２ｅを回転絞り羽根５，６，８，９の回転中心を形成する軸部としても用いることにより、地板２に形成する軸部の数を減らすことができる。その結果、各絞り羽根に軸部との干渉を回避するための逃げ形状を設ける必要をなくし、各絞り羽根の形状の単純化や自由度の増加による小型化が可能となる。したがって、絞り装置のさらなる小型化も可能となる。
【００３６】
さらに、本実施例では、軸部２ｄ，２ｅと羽根駆動ピン３ｉ，３ｊ（駆動レバー３）とが、リニア絞り羽根４，７の移動方向のうち固定開口２ｂ（又は絞り開口）に対して一方の側（各図では下側）にまとめて設けられている。これにより、地板２における固定開口２ｂに対して反対側（各図では上側）の形状や構造を単純化することができ、これに対応して絞り装置の特に上側部分を小型化することができる。
【実施例２】
【００３７】
図７には、本発明の実施例２である絞り装置（第１の光量調節装置および第２の光量調節装置）を分解して示している。本実施例の絞り装置は、図１に示した絞り装置に、絞り開口を通過する光量を減衰させるＮＤフィルタ１２を絞り開口に対して進退可能に設けたものである。図７において、図１に示した構成要素と同じ構成要素には、図１中の符号と同符号を付して説明に代える。
【００３８】
１３はＮＤフィルタ１２を保持するＮＤ保持板である。ＮＤ保持板１３は、カバー板１０を挟んで絞り羽根４〜９とは反対側に配置されている。１４はカバー板１０との間にＮＤ保持板１３を移動させる空間を形成する外カバー板であり、地板２に取り付けられる。
【００３９】
外カバー板１４には、ＮＤ駆動部１７が固定されたサブ地板１６が取り付けられる。ＮＤ駆動部１７は、例えば、不図示のロータマグネットと、該ロータマグネットと一体で回転する不図示の出力軸と、通電されてロータマグネットを回転させる磁力を発生する不図示のコイルにより構成される電磁駆動モータである。またステッピングモータであってもよい。
【００４０】
ＮＤ駆動部１７の出力軸には、ＮＤアーム１５が圧入されて取り付けられており（一体形成されていてもよい）、該ＮＤアーム１５の先端に駆動ピン１５ａを有している。駆動ピン１５ａは、外カバー板１４を貫通して、ＮＤ保持板１３の下端部に形成された駆動長孔部１３ａと係合する。また、ＮＤ保持板１３に光軸直交方向に延びるように形成されたガイド長孔部１３ｃ，１３ｄにはそれぞれ、地板２に形成された軸部２ｃ，２ｄが摺動可能に係合している。
【００４１】
ＮＤ駆動部１７によってＮＤアーム１５が回動されると、ＮＤ保持板１３は、駆動長孔部１３ａにて駆動ピン１５ａから駆動力を受け、ガイド長孔部１３ｃ，１３ｄがそれぞれ軸部２ｃ，２ｄによってガイドされながら光軸直交方向に移動する。これにより、ＮＤフィルタ１２が絞り開口に対して進退する。
【００４２】
なお、ＮＤ保持板１３は、リニア絞り羽根４，７と同様に、揺動しながら光軸直交方向に移動される構成でもよい。
【００４３】
このように、実施例１にて説明した構成は、ＮＤフィルタを備えた絞り装置にも適用することができる。ＮＤフィルタ１２で絞り開口を覆うことで、絞り開口をあまり小さく絞らなくても光量を減少させることができるので、いわゆる小絞り回折による画質の劣化を回避することができる。また、ゴーストやボケの形状も円形に近い形状とすることができるので、より自然な画質の画像を得ることができる。
【実施例３】
【００４４】
図８には、本発明の実施例３である絞り装置（第１の光量調節装置）としての絞り装置を分解して示している。
【００４５】
本実施例の絞り装置の基本的な構成は、実施例１と同じであり、実施例１と共通する構成要素には、実施例１と同符号を付して説明に代える。ただし、実施例１では、駆動アーム３の同一の羽根駆動ピン３ｉにリニア絞り羽根７と２枚の回転絞り羽根６，８を係合させ、他の同一の羽根駆動ピン３ｊにリニア絞り羽根４と２枚の回転絞り羽根５，９を係合させた場合について説明した。これに対して、本実施例では、駆動アーム３に第１の羽根駆動ピン３ｉ′，３ｊ′と第２の羽根駆動ピン３ｉ，３ｊを設けている。
【００４６】
そして、第１の羽根駆動ピン３ｉ′をリニア絞り羽根７の下端における、実施例１よりも幅方向内側にシフトした位置に形成された駆動長孔部７ｉ′に摺動可能に係合させ、第２の羽根駆動ピン３ｉを回転絞り羽根６，８の駆動カム溝部６ｉ，８ｉに摺動可能に係合されている。また、第１の羽根駆動ピン３ｊ′をリニア絞り羽根４の下端における、実施例１よりも幅方向内側にシフトした位置に形成された駆動長孔部４ｉ′に摺動可能に係合させ、第２の羽根駆動ピン３ｊを回転絞り羽根５，９の駆動カム溝部５ｉ，９ｉに摺動可能に係合されている。
【００４７】
そして、本実施例でも、駆動アーム３を回動させることで、２枚のリニア絞り羽根４，７を光軸直交方向に移動させ、かつ４枚の回転絞り羽根５，６，８，９を光軸直交面内で回転させることができ、これら６枚の絞り羽根４〜９によって円形に近い多角形状の絞り開口を形成するとともにそのサイズ（径）を変化させることができる。
【００４８】
なお、本実施例においても、実施例２のようにＮＤフィルタを絞り開口に対して進退可能に設けてもよい。
【実施例４】
【００４９】
図９には、本発明の実施例４である光量調節装置（第１および第２の光量調節装置）としての絞り装置を分解して示している。また、図１０は該絞り装置を、絞り羽根４〜９により形成される絞り開口を光が通過する方向（光軸方向）から見て示している。なお、図１０では、図９中に示すカバー板１０を取り除いた状態を示している。図１０の左図は、中間絞り状態を示している。図１０の右図は、絞り開放（最大絞り開口）状態を示している。さらに、図１１には、カバー板１０を取り除いた絞り装置を斜めから見て示している。
【００５０】
本実施例の絞り装置の基本的な構成は、実施例１と同じであり、実施例１と共通する構成要素には、実施例１と同符号を付して説明に代える。ただし、本実施例は、リニア絞り羽根７の形状が実施例１とは異なる。
【００５１】
本実施例でも、実施例１と同様に、駆動アーム３に２つの羽根駆動ピン３ｉ，３ｊを設け、同一の羽根駆動ピン３ｉに、１枚のリニア絞り羽根（第１の絞り羽根）７と２枚の回転絞り羽根（第２の絞り羽根）６，８を係合させている。また、他の同一の羽根駆動ピン３ｊに、１枚のリニア絞り羽根（第１の絞り羽根）４と２枚の回転絞り羽根（第２の絞り羽根）５，９を係合させている。そして、駆動アーム３を回動させることで、２枚のリニア絞り羽根４，７を光軸直交方向に移動させ、かつ４枚の回転絞り羽根５，６，８，９を回転させて、これら６枚の絞り羽根４〜９によって円形に近い多角形状の絞り開口を形成するとともにそのサイズ（径）を変化させる。
【００５２】
ここで、本実施例では、リニア絞り羽根７に、図１０の左図に示すように、開放絞り状態において、地板２の固定開口２ｂよりも内側に開放絞り開口を形成するための円形の開口７ｂが形成されている。開口７ｂの径は、固定開口２ｂよりも小さい。こりにより、絞り開放状態において、リニア絞り羽根７の開口７ｂによって絞り開口基準径を形成することができる。
【００５３】
一般に、絞り羽根としては、遮光性のある板金材あるいはプラスチック材を絞り開口を形成するための形状に加工したものが利用されるが、強度と遮光性を確保するためには少なくとも０．２〜０．３ｍｍ程度の厚みが必要である。ところが、携帯電話機等の小型の電子機器にて使用されるカメラの撮影レンズは、その全長が数ミリ程度まで小型化されているため、絞り羽根もその小型の撮影レンズ内のスペースに配置可能なようにより薄型化が要求されている。したがって、板金板あるいはプラスチック材により形成される絞り羽根では、強度や遮光性の点でこの要求に対応することができない。また、０．２〜０．３ｍｍ程度の厚さでも、絞り羽根のエッジ部での反射によるゴーストやフレアを発生させる。
【００５４】
特開２００６−７２１５１号公報等にて開示されているように、絞り羽根のうち開口の周囲の領域のみを薄くしたり、開口の端縁部を面取りしたり、開口を形成する薄板の内周面に光の反射を抑える表面処理を施したりすることで、絞り羽根を薄肉化しつつゴースト／フレアの発生を防止することも考えられる。しかし、このような絞り羽根でも、絞り羽根としての強度を保つためにある程度の厚みが必要であるため、絞り装置としての薄型化や小型化には限界がある。
【００５５】
この点、本実施例では、可変絞り開口を形成する絞り羽根の１つであるリニア絞り羽根７が、開放絞り開口を形成する開口７ｂを有する（すなわち、固定絞りを兼ねる）ことで、絞り開口基準径を決める固定絞り部材を廃止することが可能となり、この結果、絞り装置の薄型化や小型化が可能となる。しかも、開口の端縁部を薄肉化することができるため、ゴースト／フレアの低減に有効である。
【００５６】
しかも、本実施例は、絞り開口の周囲に配置された駆動リングを回転させ、該駆動リングにおける互いに異なる駆動軸部によってリニア絞り羽根や回転絞り羽根を駆動する場合に比べて、絞り装置の小型化に有利でありながらも、良好な形状の絞り開口を形成することができる。
【００５７】
なお、本実施例では、リニア絞り羽根７によって地板２の固定開口２ｂの内側に開放絞り開口を形成する場合について説明したが、他の絞り羽根４〜６，８，９のいずれによって開放絞り開口を形成してもよく、また複数の絞り羽根によって開放絞り開口を形成してもよい。すなわち、リニア絞り羽根４，７と回転絞り羽根５，６，８，９のうち少なくとも１つによって開放絞り開口を形成すればよい。例えば、リニア絞り羽根４のみで開放絞り開口を形成する場合は、リニア絞り羽根４に開放絞り開口に対応する円形の開口を形成すればよい。また、駆動カム溝部５ｊ，６ｉ，８ｉ，９ｊの形状の設定により、回転絞り羽根５，６，８，９を組み合わせて開放絞り開口を形成することも可能である。
【００５８】
以上のように構成された絞り装置において、駆動アーム３が所定の角度範囲で回動すると、図１２に示すように、リニア絞り羽根４は、駆動長孔部４ｊにて羽根駆動ピン３ｊから駆動力を受け、ガイド長孔部４ｃ，４ｄがそれぞれ、軸部２ｃ，２ｄによってガイドされながら、光軸直交方向に移動する。また、リニア絞り羽根７は、駆動長孔部７ｉにて羽根駆動ピン３ｉから駆動力を受け、ガイド長孔部７ｅ，７ｆがそれぞれ、軸部２ｅ，２ｆによってガイドされながら光軸直交方向に移動する。
【００５９】
さらに、回転絞り羽根５，６，８，９は、図１３に示すように、駆動カム溝部５ｊ，６ｉ，８ｉ，９ｊが羽根駆動ピン３ｊ，３ｉから駆動力を受け、回転中心孔部５ｄ，６ｅ，８ｄ，９ｅに係合した軸部２ｄ，２ｅを中心として光軸直交面内で回転（旋回）する。この回転の速さは、駆動カム溝部５ｊ，６ｉ，８ｉ，９ｊの形状によって調整可能である。
【００６０】
これにより、図１４に示すように、小絞り状態（上段中央の図）から開放絞りの直前の状態（右左下の図）までの各絞り状態においては、絞り羽根４〜６，８，９の開口形成用縁部４ｂ，５ｂ，６ｂ，８ｂ，９ｂとリニア絞り羽根７の開口７ｂの縁部の一部とによって円形に近いまたはほぼ正六角形の絞り開口を形成することができる。
【００６１】
そして、図１４中の右下の図に示す開放絞り状態では、図１２の左図にも示したように、リニア絞り羽根７の開口７ｂが、地板２の固定開口２ｂよりも径方向内側において開放絞り開口を形成する。
【００６２】
また、本実施例の絞り装置は、図１４の左上の図に示すように、閉じ切りも可能である。
【００６３】
以上説明したように、本実施例の絞り装置は、各絞り羽根を、駆動リング等の絞り開口の周囲で回転する部品を用いずに、１つの駆動アーム３を駆動させることで移動または回転させるため、絞り装置を長手方向および幅方向において小型化でき、さらに光軸方向での厚みを薄くすることができる。
【００６４】
なお、本実施例では、絞り羽根４〜９に孔部や溝部を形成し、駆動アーム３や地板２に形成されたピンをこれら孔部や溝部に係合（挿入）する場合について説明したが、絞り羽根にピンを設け、これを駆動アームや地板に形成された孔部や溝部に挿入する構成を採用することも可能である。
【実施例５】
【００６５】
図１５には、本発明の実施例５である絞り装置を分解して示している。本実施例の絞り装置は、図９に示した絞り装置に、絞り開口を通過する光量を減衰させるＮＤフィルタ１２を絞り開口に対して進退可能に設けたものである。図１５において、図９に示した構成要素と同じ構成要素には、図９中の符号と同符号を付して説明に代える。
【００６６】
１３はＮＤフィルタ１２を保持するＮＤ保持板である。ＮＤ保持板１３は、カバー板１０を挟んで絞り羽根４〜９とは反対側に配置されている。１４はカバー板１０との間にＮＤ保持板１３を移動させる空間を形成する外カバー板であり、地板２に取り付けられる。
【００６７】
外カバー板１４には、ＮＤ駆動部１７が固定されたサブ地板１６が取り付けられる。ＮＤ駆動部１７は、例えば、不図示のロータマグネットと、該ロータマグネットと一体で回転する不図示の出力軸と、通電されてロータマグネットを回転させる磁力を発生する不図示のコイルにより構成される電磁駆動モータである。またステッピングモータであってもよい。
【００６８】
ＮＤ駆動部１７の出力軸には、ＮＤアーム１５が圧入されて取り付けられており（一体形成されていてもよい）、該ＮＤアーム１５の先端に駆動ピン１５ａを有している。駆動ピン１５ａは、外カバー板１４を貫通して、ＮＤ保持板１３の下端部に形成された駆動長孔部１３ａと係合する。また、ＮＤ保持板１３に光軸直交方向に延びるように形成されたガイド長孔部１３ｃ，１３ｄにはそれぞれ、地板２に形成された軸部２ｃ，２ｄが摺動可能に係合している。
【００６９】
ＮＤ駆動部１７によってＮＤアーム１５が回動されると、ＮＤ保持板１３は、駆動長孔部１３ａにて駆動ピン１５ａから駆動力を受け、ガイド長孔部１３ｃ，１３ｄがそれぞれ軸部２ｃ，２ｄによってガイドされながら光軸直交方向に移動する。これにより、ＮＤフィルタ１２が絞り開口に対して進退する。
【００７０】
また、ＮＤ保持板１３は、リニア絞り羽根４，７と同様に、揺動しながら光軸直交方向に駆動される構成でもよい。
【００７１】
本実施例でも、開放絞り状態においては、実施例４にて説明したように、リニア絞り羽根７に形成した開口もしくは他の絞り羽根４〜６，８，９に形成した開口や開口形成用縁部よって、地板２の固定開口２ｂよりも径方向内側に、該固定開口２ｂよりも径が小さい開放絞り開口を形成する。
【００７２】
そして、本実施例では、ＮＤフィルタ１２で絞り開口を覆うことで、絞り開口をあまり小さく絞らなくても光量を減少させることができるので、いわゆる小絞り回折による画質の劣化を回避することができる。また、ゴーストやボケの形状も円形に近い形状とすることができるので、より自然な画質の画像を得ることができる。
【実施例６】
【００７３】
図１６には、本発明の実施例６である光量調節装置（第２の光量調節装置および第３の光量調節装置）としての絞り装置を分解して示している。また、図１７は該絞り装置を、絞り羽根４〜９により形成される絞り開口を光が通過する方向（光軸方向）から見て示している。なお、図１７では、図１中に示すカバー板１０を取り除いた状態を示している。さらに、図１８には、図１７に示した絞り装置を斜めから見て示している。また、これらの図において絞り装置の上下方向であって長手方向が、「光通過方向に直交する方向」に相当し、以下の説明では光軸直交方向という。また、これらの図における絞り装置の左右方向を幅方向という。
【００７４】
これらの図において、ベース部材としての地板２には、光を通過させる固定開口２ｂが形成されている。地板２は、プレス加工や樹脂成形等によって製作されている。該地板２の外面（光軸方向一方の面）のうち、固定開口２ｂから下方向に離れた位置には、絞り駆動部１が取り付けられている。絞り駆動部１は、例えば、不図示のロータマグネットと、該ロータマグネットと一体で回転する出力軸１ａと、通電されてロータマグネットを回転させる磁力を発生する不図示のコイルにより構成される電磁駆動モータである。また、ステッピングモータであってもよい。
【００７５】
絞り駆動部１の出力軸１ａは、地板２を貫通して地板２の内面側に突出している。そして、該出力軸１ａには、駆動レバーとしての駆動アーム３が圧入によって取り付けられている。駆動アーム３は、固定開口２ｂから下方向に離れて位置する軸回りにおいて、出力軸１ａとともに所定の角度範囲で回動する。駆動アーム３は、樹脂成形等によって製作されている。なお、出力軸１ａと駆動アーム３とを一体形成することも可能である。
【００７６】
駆動アーム３は、出力軸１ａの位置を挟んだ両側の先端に、絞り羽根４〜９を駆動するための伝達部としての羽根駆動ピン３ｉ，３ｊを有する。羽根駆動ピン３ｉは、回転絞り羽根６、リニア絞り羽根７および回転絞り羽根８の３枚の絞り羽根に係合している。また、羽根駆動ピン３ｊは、リニア絞り羽根４、回転絞り羽根５および回転絞り羽根９の３枚の絞り羽根に係合している。
【００７７】
なお、絞り駆動部１と駆動アーム３を地板２の外面側に配置し、駆動アーム３に形成された羽根駆動ピン３ｉ，３ｊを、地板２を貫通させて該地板２の内面側に突出させるようにしてもよい。
【００７８】
このように、本実施例では、絞り駆動部１の出力軸１ａに直接取り付けられた（または一体形成された）１つの駆動アーム３に２つの羽根駆動ピン３ｉ，３ｊを設け、同一（共通）の羽根駆動ピン３ｉに、１枚のリニア絞り羽根（第１の絞り羽根）７と２枚の回転絞り羽根（第２の絞り羽根）６，８を係合させている。また、他の同一（共通）の羽根駆動ピン３ｊに、１枚のリニア絞り羽根（第１の絞り羽根）４と２枚の回転絞り羽根（第２の絞り羽根）５，９を係合させている。そして、このように複数（２つ）の羽根駆動ピン３ｉ，３ｊのそれぞれに３枚ずつの絞り羽根が係合した駆動アーム３を回動させることで、２枚のリニア絞り羽根４，７を光軸直交方向に移動させ、かつ４枚の回転絞り羽根５，６，８，９を回転させて、これら６枚の絞り羽根４〜９によって円形に近い多角形状の絞り開口を形成するとともにそのサイズ（径）を変化させる。
【００７９】
以上の構成を採用することで、特許文献２のように、絞り開口の周囲に配置された駆動リング（環板）を回転させ、該駆動リングにおける互いに異なる駆動軸部によって直進絞り羽根や回転絞り羽根を駆動する場合に比べて、絞り装置の小型化に有利でありながらも、良好な形状の絞り開口を形成することができる。
【００８０】
なお、リニア絞り羽根４，７が光軸直交方向に移動するとは、リニア絞り羽根４，７が光軸直交方向に直進（平行移動）する場合だけでなく、後述するように幅方向に揺動（回転）したりシフトしたりしながら光軸直交方向に移動する場合も含む意味である。
【００８１】
１１はアームカバーであり、駆動アーム３と絞り羽根４（〜９）との間に配置されて、駆動アーム３と絞り羽根４（〜９）との不必要な接触を防止する。アームカバー１１は、プレス加工や樹脂成形等により製作されている。駆動アーム３と絞り羽根４との間に十分なクリアランスがあるときには、アームカバー１１はなくてもよい。
【００８２】
カバー板１０は、地板２との間に絞り羽根４〜９が移動する空間を形成するように地板２に取り付けられるカバー板である。カバー板１０は、地板２に形成された固定開口２ｂに対応する開口１０ｂを有する。カバー板１０は、プレス加工や樹脂成形等により製作されている。カバー板１０の内面（地板側の面）には、絞り羽根４〜９との摺動抵抗を低減するためのレール１０ｍが形成されている。
【００８３】
本実施例の絞り装置は、前述したように駆動アーム３を回動させることで絞り開口径を変化させることができ、さらに絞り開口を完全に閉じる（閉じきる）ことができる。このため、本実施例の絞り装置は、シャッタ動作を行うことも可能である。つまり、本実施例の絞り装置は、絞りシャッタ装置として使用することもできる。
【００８４】
以下、各絞り羽根についてより詳細に説明する。絞り羽根４〜９は、プレス成形や樹脂成形等により製作される。また、絞り羽根４〜６，８，９には、静電気による隣り合う絞り羽根同士の貼り付きを防止したり互いの摺動抵抗を軽減したりするために、エンボス４ｋ，５ｋ，６ｋ１，６ｋ２，８ｋ，９ｋが形成されている。
【００８５】
リニア絞り羽根４は、第１の係合部である円形の駆動孔部４ｊにて、駆動アーム３の羽根駆動ピン３ｊと回転可能に係合している。また、リニア絞り羽根４に光軸直交方向に延びるように形成された第２の係合部としてのガイド長孔部４ｃには、地板２に形成されたガイド部（ガイド軸部）としてのガイドピン２ｃが摺動可能に係合している。
【００８６】
駆動アーム３が上述した所定の角度範囲で回動すると、リニア絞り羽根４は、駆動孔部４ｊにて羽根駆動ピン３ｊから駆動力を受け、駆動孔部４ｊが係合した羽根駆動ピン３ｊを中心に回転移動し、ガイド長孔部４ｃがガイドピン２ｃによってガイドされながら、光軸直交方向に駆動される。
【００８７】
このとき羽根駆動ピン３ｊは、出力軸１ａを中心として円弧を描くように移動するため、リニア絞り羽根４は、ガイドピン２ｃによって光軸直交方向にガイドされながら該ガイドピン２ｃを中心として幅方向に揺動する。すなわち、リニア絞り羽根４は、地板２の下端に達して固定開口２ｂに対して退避したときには、リニア絞り羽根４の駆動孔部４ｊは、固定開口２ｂの中心と出力軸１ａとを結ぶ線に近づく側に引き込まれるように揺動する。このため、本実施例では、図１９に示す地板２の右側の角部２ｒを、リニア絞り羽根４が揺動せずに単に直進移動する場合よりも内側（出力軸１ａ側）に引っ込んだ円弧状に形成でき、その分、地板２を小さくすることができる。
【００８８】
また、リニア絞り羽根４が揺動せずに単に直進移動する場合は、駆動孔部４ｊを長孔とし、地板２に設けるガイドピン２ｃを２つにして直進移動できるようにし、リニア絞り羽根４に形成するガイド長孔部４ｃも２つ必要になる。しかしながら、本実施例では揺動しながら光軸直交方向に駆動されるため、地板２に設けるガイドピン２ｃを１つにすることができるので、リニア絞り羽根４に形成するガイド長孔部４ｃも１つになり、この結果、リニア絞り羽根４を小さくすることができ、その分さらに地板２を小さくすることができる。したがって、絞り装置の小型化が可能となり、該絞り装置を搭載したカメラや交換レンズ等の光学機器も小型化することができる。
【００８９】
リニア絞り羽根４のガイドピン２ｃを中心とした揺動の速さは、ガイド長孔部４ｃをカム溝形状に形成することによって調整が可能である。また、リニア絞り羽根４が揺動せずに単に直進移動する場合に比べ、本実施例では、ガイド長孔部４ｃのカム溝形状の調整によって、良好な絞り開口形状を得るための絞り開口の形状の補正も可能である。
【００９０】
回転絞り羽根５は、第３の係合部である駆動カム溝部５ｊにて、駆動アーム３の羽根駆動ピン３ｊと摺動可能に係合している。また、回転絞り羽根５に形成された第４の係合部である回転中心孔部５ｄには、地板２に形成された回転中心部（回転中心軸部）としての回転中心ピン２ｄが回転可能に係合している。
【００９１】
駆動アーム３が所定の角度範囲で回動すると、回転絞り羽根５は、図１９に示すように、駆動カム溝部５ｊが羽根駆動ピン３ｊから駆動力を受け、回転中心孔部５ｄが係合した回転中心ピン２ｄを中心として光軸に直交する面（以下、光軸直交面という）内で回転（旋回）する。この回転の速さは、駆動カム溝部５ｊの形状によって調整可能である。また、駆動カム溝部５ｊの形状によって絞り開口の形状の補正も可能である。
【００９２】
回転絞り羽根５には、回転絞り羽根８に係合する回転中心ピン２ｅを貫通させ、該回転中心ピン２ｅとの干渉を回避するための長穴部５ｅが形成されている。回転中心ピン２ｅを長穴部５ｅを貫通させるようにすることで、回転絞り羽根５の形状をその強度を確保できる形状とすることができるとともに、回転中心ピン２ｅを地板２に効率良く配置することができる。また、長穴部５ｅを回転絞り羽根５に形成することで、該回転絞り羽根５を軽量化することができ、シャッタ動作に有効である。
【００９３】
回転絞り羽根６は、第３の係合部である駆動カム溝部６ｉにて、駆動アーム３の羽根駆動ピン３ｉと摺動可能に係合している。また、回転絞り羽根６に形成された第４の係合部である回転中心孔部６ｆには、地板２に形成された回転中心部（回転中心軸部）としての回転中心ピン２ｆが回転可能に係合している。
【００９４】
駆動アーム３が所定の角度範囲で回動すると、回転絞り羽根６は、図２０に示すように、駆動カム溝部６ｉが羽根駆動ピン３ｉから駆動力を受け、回転中心孔部６ｆが係合した回転中心ピン２ｆを中心として光軸直交面内で回転（旋回）する。この回転の速さは、駆動カム溝部６ｉの形状によって調整可能である。また、駆動カム溝部６ｉの形状によって絞り開口の形状の補正も可能である。
【００９５】
リニア絞り羽根７は、第１の係合部である円形の駆動孔部７ｉにて、駆動アーム３の羽根駆動ピン３ｉと回転可能に係合している。また、リニア絞り羽根７に光軸直交方向に延びるとともに幅方向にリフトを有するように形成された第２の係合部としてのガイドカム溝部７ｈには、地板２に形成されたガイド部（ガイド軸部）としてのガイドピン２ｈが摺動可能に係合している。
【００９６】
駆動アーム３が所定の角度範囲で回動すると、リニア絞り羽根７は、図１９に示すように、駆動孔部７ｉにて羽根駆動ピン３ｉから駆動力を受け、駆動孔部７ｉが係合した羽根駆動ピン３ｉを中心に回転移動し、ガイドカム溝部７ｈがガイドピン２ｈとの係合によって幅方向にシフトおよび揺動しながら光軸直交方向に駆動される。リニア絞り羽根４と同様に、リニア絞り羽根７が幅方向に揺動することで、図１９に示す地板２の左側の角部２ｒを、リニア絞り羽根７が揺動せずに単に直進移動する場合よりも内側（出力軸１ａ側）に引っ込んだ円弧状に形成することができ、その分、地板２を小さくすることができる。絞り装置を搭載する光学機器のレンズ鏡筒部の断面は円形であることが一般的であるため、左右の角部２ｒを円弧形状に形成できることで、レンズ鏡筒部（つまりは光学機器）の小型化に有効である。
【００９７】
リニア絞り羽根７のシフトおよび揺動の速さは、ガイドカム溝部７ｈのカム溝形状により調整が可能である。その他の動きは、リニア絞り羽根４と同様である。
【００９８】
回転絞り羽根８および回転絞り羽根９は、第３の係合部である駆動カム溝部８ｉ，９ｊにて、駆動アーム３の羽根駆動ピン３ｉ，３ｊとそれぞれ摺動可能に係合している。また、回転絞り羽根８，９に形成された第４の係合部である回転中心孔部８ｅ，９ｇには、地板２に形成された回転中心部（回転中心軸部）としての回転中心ピン２ｅ，２ｇがそれぞれ回転可能に係合している。
【００９９】
駆動アーム３が所定の角度範囲で回動すると、回転絞り羽根８，９はそれぞれ、図２０に示すように、駆動カム溝部８ｉ，９ｊが羽根駆動ピン３ｉ，３ｊから駆動力を受け、回転中心孔部８ｅ，９ｇが係合した回転中心ピン２ｅ，２ｇを中心として光軸直交面内で回転（旋回）する。この回転の速さは、駆動カム溝部８ｉ，９ｊの形状によって調整可能である。また、駆動カム溝部８ｉ，９ｊの形状によって絞り開口の形状の補正も可能である。回転絞り羽根９には、回転絞り羽根５と同様に、回転絞り羽根８に係合する回転中心ピン２ｅを貫通させ、該回転中心ピン２ｅとの干渉を回避するための長穴部９ｅが形成されている。
【０１００】
前述した地板２の左右の角部２ｒは、回転絞り羽根５，６，８，９の回転のタイミングをそれぞれの駆動カム溝部５ｊ，６ｉ，８ｉ，９ｊの形状で適宜調整することによって、より内側に引っ込むように形成することができ、レンズ鏡筒のさらなる小型化に有効である。
【０１０１】
そして、駆動アーム３の回動位置に対する絞り羽根４〜９の移動または回転位置を、それぞれに形成されたガイド長孔部４ｃ、ガイドカム溝部７ｈおよび駆動カム溝部５ｊ，６ｉ，８ｉ，９ｊの形状で調整することができる。これにより、図２１に示すように、開放絞り（右上の図）から小絞り（左下の図）までの各絞り状態において、絞り羽根４〜９の開口形成用縁部４ｂ，５ｂ，６ｂ，７ｂ，８ｂ，９ｂによって円形に近いまたはほぼ正六角形の絞り開口を形成することができる。また、前述したように、本実施例の絞り装置は、図２１の左上の図に示すように、閉じ切りも可能である。
【０１０２】
以上説明したように、本実施例の絞り装置は、各絞り羽根を、駆動リング等の絞り開口の周囲で回転する部品を用いずに、１つの駆動アーム３を駆動させることで移動または回転させるため、絞り装置を長手方向および幅方向において小型化でき、さらに光軸方向での厚みを薄くすることができる。
【０１０３】
なお、本実施例では、絞り羽根４〜９に孔部や溝部を形成し、駆動アーム３や地板２に形成されたピンをこれら孔部や溝部に係合（挿入）する場合について説明したが、絞り羽根にピンを設け、これを駆動アームや地板に形成された孔部や溝部に挿入する構成を採用することも可能である。
【０１０４】
また、図示はしないが、本実施例の絞り装置においても、実施例４にて説明したように、開放絞り状態において、リニア絞り羽根７に形成した開口もしくは他の絞り羽根４〜６，８，９に形成した開口や開口形成用縁部よって、地板２の固定開口２ｂよりも内側に、該固定開口２ｂよりも径が小さい開放絞り開口を形成するようにしてもよい。これにより、絞り装置の薄型化や小型化、さらには開口の端縁部の薄肉化によるゴースト／フレアの低減を図ることができる。
【実施例７】
【０１０５】
図２２には、本発明の実施例７である絞り装置を分解して示している。本実施例の絞り装置は、図１６に示した絞り装置に、絞り開口を通過する光量を減衰させるＮＤフィルタ１２を進退可能に設けたものである。図２２において、図１６に示した構成要素と同じ構成要素には、図１６中の符号と同符号を付して説明に代える。
【０１０６】
１３はＮＤフィルタ１２を保持するＮＤ保持板である。ＮＤ保持板１３は、カバー板１０を挟んで絞り羽根４〜９とは反対側に配置されている。１４はカバー板１０との間にＮＤ保持板１３を移動させる空間を形成する外カバー板であり、地板２に取り付けられる。
【０１０７】
外カバー板１４には、ＮＤ駆動部１７が固定されたサブ地板１６が取り付けられる。ＮＤ駆動部１７は、例えば、不図示のロータマグネットと、該ロータマグネットと一体で回転する不図示の出力軸と、通電されてロータマグネットを回転させる磁力を発生する不図示のコイルにより構成される電磁駆動モータである。またステッピングモータであってもよい。
【０１０８】
ＮＤ駆動部１７の出力軸には、ＮＤアーム１５が圧入されて取り付けられており（一体形成されていてもよい）、該ＮＤアーム１５の先端に駆動ピン１５ａを有している。駆動ピン１５ａは、外カバー板１４を貫通して、ＮＤ保持板１３と係合する。ＮＤ保持板１３は、地板２に形成されたガイドピン２ｃと回転中心ピン２ｄとによって光軸直交方向にガイドされる。ＮＤ駆動部１７によってＮＤアーム１５を回動させると、ＮＤ保持板１３が光軸直交方向に直進移動し、ＮＤフィルタ１２が絞り開口に対して進退する。
【０１０９】
また、ＮＤ保持板１３はリニア絞り羽根４、７と同様に、揺動しながら光軸直交方向に駆動される構成でもよい。
【０１１０】
このように、実施例６で説明した構成は、ＮＤフィルタを備えた絞り装置にも適用することができる。ＮＤフィルタ１２で絞り開口を覆うことで、絞り開口をあまり小さく絞らなくても光量を減少させることができるので、いわゆる小絞り回折による画質の劣化を回避することができる。また、ゴーストやボケの形状も円形に近い形状とすることができるので、より自然な画質の画像を得ることができる。
【０１１１】
また、図示はしないが、本実施例の絞り装置においても、実施例４にて説明したように、開放絞り状態において、リニア絞り羽根７に形成した開口もしくは他の絞り羽根４〜６，８，９に形成した開口や開口形成用縁部よって、地板２の固定開口２ｂよりも内側に、該固定開口２ｂよりも径が小さい開放絞り開口を形成するようにしてもよい。
【実施例８】
【０１１２】
図２３には、実施例１〜７にて説明した絞り装置を搭載した光学機器としてのビデオカメラ（撮像装置）の概略構成を示している。
【０１１３】
２１はビデオカメラのレンズ鏡筒部である。該レンズ鏡筒部２１内には、変倍レンズ３２、実施例１，２の絞り装置２０およびフォーカスレンズ２９を含む撮影光学系が収容されている。
【０１１４】
２５はＣＣＤセンサやＣＭＯＳセンサ等の光電変換素子により構成される撮像素子である。撮像素子２５は、撮影光学系により形成された被写体像を光電変換して電気信号を出力する。絞り装置２０の絞り開口を変化させたりＮＤフィルタを進退させたりすることで、撮像素子２５上に形成される被写体像の明るさ（つまりは撮像素子２５に到達する光量）を適正に設定することができる。
【０１１５】
撮像素子２５から出力された電気信号は、画像処理回路２６にて種々の画像処理を受ける。これにより、映像信号（ビデオ出力）が生成される。
【０１１６】
コントローラ２２は、不図示のズームスイッチがユーザにより操作されることに応じて、ズームモータ３１を制御し、変倍レンズ３２を移動させて変倍（ズーミング）を行わせる。また、コントローラ２２は、映像信号のコントラストを検出し、該コントラストに応じてフォーカスモータ２８を制御し、フォーカスレンズ２９を移動させてオートフォーカスを行う。
【０１１７】
さらに、コントローラ２２は、映像信号のうち輝度情報に基づいて、絞り装置２０の絞り駆動部１（およびＮＤ駆動部１７）を制御して光量を調節する。これにより、撮影時のボケやゴーストを自然な形状にすることができ、高画質の映像を記録することができる。また、レンズ鏡筒部に内蔵された絞り装置２０が小型であるので、レンズ鏡筒部およびビデオカメラ全体の小型化を図ることができる。
【０１１８】
以上説明した各実施例は代表的な例にすぎず、本発明の実施に際しては、各実施例に対して種々の変形や変更が可能である。
【産業上の利用可能性】
【０１１９】
小型で絞り形状が良好な光量調節装置を提供でき、これを搭載した光学機器の小型化および高性能化を図れる。
【符号の説明】
【０１２０】
１  絞り駆動部
２  地板
２ｃ，２ｄ，２ｅ，２ｆ  軸部
３  駆動アーム
３ｉ，３ｊ  駆動ピン
４，７  リニア絞り羽根
５，６，８，９  回転絞り羽根
１２  ＮＤフィルタ
【図１】
2020057023.tif 000003
【図２】
2020057023.tif 000004
【図３】
2020057023.tif 000005
【図４】
2020057023.tif 000006
【図５】
2020057023.tif 000007
【図６】
2020057023.tif 000008
【図７】
2020057023.tif 000009
【図８】
2020057023.tif 000010
【図９】
2020057023.tif 000011
【図１０】
2020057023.tif 000012
【図１１】
2020057023.tif 000013
【図１２】
2020057023.tif 000014
【図１３】
2020057023.tif 000015
【図１４】
2020057023.tif 000016
【図１５】
2020057023.tif 000017
【図１６】
2020057023.tif 000018
【図１７】
2020057023.tif 000019
【図１８】
2020057023.tif 000020
【図１９】
2020057023.tif 000021
【図２０】
2020057023.tif 000022
【図２１】
2020057023.tif 000023
【図２２】
2020057023.tif 000024
【図２３】
2020057023.tif 000025